(57)【要約】【課題】チップ型発光素子の構造を、これを配線基板上に実装した際、接合部が平面視において素子の占有面積に入るようなものとする。【解決手段】セラミックからなる絶縁性基板１の一方表面１ａには一対の内部電極２が、他方表面１ｃには外部電極５が配されている。これらは絶縁性基板１にあけられた貫通孔６に満たされた導電材７により電気的に接続されている。内部電極２の一方には発光体チップ３がダイ・ボンディングされ、これと他方の内部電極２とはボンディングワイヤー４により接合されている。発光体チップ３、ボンディングワイヤー４、およびこれらと内部電極２との接合部は、透光性部材８によって保護されている。【選択図】図１
2014146846.tif 000002
【特許請求の範囲】
【請求項１】
いずれも平坦な表面からなる一方表面および他方表面を有する絶縁性基板と、
前記絶縁性基板の前記一方表面に設けられた一対の内部電極と、
各前記内部電極が配置された位置において前記一方表面と前記他方表面との間にそれぞれ形成された貫通孔と、
各前記貫通孔内に配置された導電材と、
前記絶縁性基板の前記一方表面の法線方向から見て一方の前記貫通孔に重なるように、かつ他方の前記貫通孔を避けるように、当該一方の貫通孔を覆う一方の前記内部電極上に設けられ、その内部電極にダイ・ボンディングされた発光体チップと、
他方の前記内部電極と前記発光体チップとを接続するボンディングワイヤーと、
前記絶縁性基板のいずれの側面からも内方に間隔をあけて、前記絶縁性基板の前記他方表面に設けられ、前記導電材を介して前記一方および他方の内部電極にそれぞれ電気的に接続された外部電極とを含むことを特徴とするチップ型発光素子。
【請求項２】
前記貫通孔が前記導電材で満たされていることを特徴とする請求項１記載のチップ型発光素子。
【請求項３】
前記発光体チップは、前記法線方向から見て、前記貫通孔を完全に被覆するように、かつ、前記発光体チップの中心が前記貫通孔の中心と重なるように配置されていることを特徴とする、請求項１または２記載のチップ型発光素子。
【請求項４】
前記ボンディングワイヤーは、前記法線方向から見て、前記貫通孔と重なる領域で前記他方の内部電極に接続されていることを特徴とする、請求項１ないし３のいずれかに記載のチップ型発光素子。
【請求項５】
前記絶縁性基板の側面には、いずれの外部電極も形成されていないことを特徴とする請求項１ないし４のいずれかに記載のチップ型発光素子。
【請求項６】
前記絶縁性基板の側面とほぼ面一の側面を有し、前記発光体チップの周囲を被覆する透光性部材をさらに含むことを特徴とする請求項１ないし５のいずれかに記載のチップ型発光素子。
【請求項７】
前記絶縁性基板は、その側面が全周にわたってはんだぬれ性のない表面を呈することを特徴とする請求項１ないし６のいずれかに記載のチップ型発光素子。
【請求項８】
前記絶縁性基板は、セラミックからなることを特徴とする請求項１ないし７のいずれかに記載のチップ型発光素子。
【請求項９】
前記一対の内部電極は、複数の導電材が積層された積層構造を有していることを特徴とする請求項１ないし８のいずれかに記載のチップ型発光素子。
【請求項１０】
前記一対の内部電極の前記導電材が、前記絶縁性基板側より、Ｃｕ、Ｎｉ、およびＡｕの３層構造により構成されていることを特徴とする請求項９に記載のチップ型発光素子。
【請求項１１】
前記外部電極は、複数の導電材が積層された積層構造を有していることを特徴とする請求項１ないし１０のいずれかに記載のチップ型発光素子。
【請求項１２】
前記外部電極の前記導電材が、前記絶縁性基板側より、Ｃｕ、Ｎｉ、およびＡｕの３層構造により構成されていることを特徴とする請求項１１に記載のチップ型発光素子。
【請求項１３】
前記貫通孔に配置された前記導電材が、Ｃｕからなることを特徴とする請求項１ないし１２のいずれかに記載のチップ型発光素子。
【請求項１４】
前記絶縁性基板は、長手形状を有しており、
各前記外部電極は、各前記外部電極と前記絶縁性基板の長手方向端部との間の距離（Ｂ１）が、各前記外部電極と前記絶縁性基板の短手方向端部との間の距離（Ｂ２）に比べて大きくなるように形成されていることを特徴とする請求項１ないし１３のいずれかに記載のチップ型発光素子。
【請求項１５】
前記外部電極を介して配線基板へ接合する際、平面視において、前記外部電極の占有面積の外に、はんだがはみ出しても、はんだが、すべて、前記絶縁性基板の占有面積内に入るように、前記絶縁性基板の側面からの前記外部電極の間隔が設定されていることを特徴とする請求項１ないし１４のいずれかに記載のチップ型発光素子。
【請求項１６】
一方表面および他方表面を有する長手形状の絶縁性基板と、
前記絶縁性基板の前記一方表面に設けられた一対の内部電極と、
各前記内部電極が配置された位置において前記一方表面と前記他方表面との間にそれぞれ形成された貫通孔と、
各前記貫通孔内に配置された導電材と、
前記絶縁性基板の前記一方表面の法線方向から見て一方の前記貫通孔に重なるように、かつ他方の前記貫通孔を避けるように、当該一方の貫通孔を覆う一方の前記内部電極上に設けられ、その内部電極にダイ・ボンディングされた発光体チップと、
他方の前記内部電極と前記発光体チップとを接続するボンディングワイヤーと、
前記絶縁性基板のいずれの側面からも内方に間隔をあけて、前記絶縁性基板の前記他方表面に設けられ、前記導電材を介して前記一方および他方の内部電極にそれぞれ電気的に接続された外部電極とを含み、
各前記外部電極は、各前記外部電極と前記絶縁性基板の長手方向端部との間の距離（Ｂ１）が、各前記外部電極と前記絶縁性基板の短手方向端部との間の距離（Ｂ２）に比べて大きくなるように形成されていることを特徴とするチップ型発光素子。
【請求項１７】
一方表面に一対の内部電極が設けられている絶縁性基板と、
この絶縁性基板の前記一方表面上に設けられ、前記内部電極と接続された発光体チップと、
前記絶縁性基板の他方表面に設けられ、前記絶縁性基板内部に形成された配線部材を介して前記内部電極に電気的に接続された外部電極とを含むチップ型発光素子であって、
前記配線部材は、前記絶縁性基板に形成された貫通孔内に配置された導電材を含み、
前記貫通孔は、第１および第２の貫通孔を含み、
前記一対の内部電極の一方および他方が、それぞれ前記第１および第２の貫通孔の直上に設けられており、
前記発光体チップは、前記一対の内部電極の一方に、前記第１の貫通孔の直上でダイ・ボンディングされており、前記一対の内部電極の他方と前記発光体チップとは、ボンディングワイヤーで電気的に接続されており、
前記外部電極は、前記絶縁性基板の側面から内方に間隔をあけて、前記他方表面上に形成されており、
当該チップ型発光素子を、前記外部電極を介して配線基板へ接合する際、平面視において、前記外部電極の占有面積の外に、はんだがはみ出しても、はんだが、すべて、当該チップ型発光素子の占有面積内に入るように、前記絶縁性基板の側面からの前記外部電極の間隔が設定されていることを特徴とするチップ型発光素子。
【請求項１８】
前記絶縁性基板の前記一方表面および前記他方表面は、いずれも平坦な表面からなることを特徴とする請求項１６または１７記載のチップ型発光素子。
【発明の詳細な説明】
【技術分野】
【０００１】
本発明は、パイロットランプ等に用いられるチップ型発光素子の構造に関する。
【背景技術】
【０００２】
図５は、従来のチップ型発光素子を配線基板上にはんだを用いて接続した状態を示した図解的な断面図である。絶縁性基板５１の一方表面５１ａに一対の内部電極５２が設けられ、その一方にＬＥＤなどの発光体チップ５３がダイ・ボンディングされている。この発光体チップ５３と他方の内部電極５２とはボンディングワイヤー５４で接続されている。内部電極５２は絶縁性基板５１の端部近傍で、外部電極５５と接続されている。
【０００３】
発光体チップ５３、ボンディングワイヤー５４、およびそれらと内部電極５２との接合部を含む領域は、透光性部材５６によって保護されている。外部電極５５は、端面５１ｂを覆うように絶縁性基板５１端部に形成されている。
【発明の概要】
【発明が解決しようとする課題】
【０００４】
このような構成のチップ型発光素子を、はんだ５７で配線基板５９上の電極パッド５８に接合する際、接合部、すなわちはんだ５７が存在する部分は、チップ型発光素子自身の占有面積をはみだし、チップ端面側方に接合のためだけに要する領域Ｃが生じていた。
このため、配線基板上の配線や各種電子部品は、このはんだ付けのための領域を避けて配さねばならなかったため、各種部品の実装密度が低くなるという問題があった。
【０００５】
そこで、この発明の目的は、実装時の占有面積を少なくすることができ、これにより配線基板上への部品の高密度実装を可能とするチップ型発光素子を提供することである。
【課題を解決するための手段】
【０００６】
上記の目的を達成するための請求項１記載の発明は、いずれも平坦な表面からなる一方表面および他方表面を有する絶縁性基板と、前記絶縁性基板の前記一方表面に設けられた一対の内部電極と、各前記内部電極が配置された位置において前記一方表面と前記他方表面との間にそれぞれ形成された貫通孔と、各前記貫通孔内に配置された導電材と、前記絶縁性基板の前記一方表面の法線方向から見て一方の前記貫通孔に重なるように、かつ他方の前記貫通孔を避けるように、当該一方の貫通孔を覆う一方の前記内部電極上に設けられ、その内部電極にダイ・ボンディングされた発光体チップと、他方の前記内部電極と前記発光体チップとを接続するボンディングワイヤーと、前記絶縁性基板のいずれの側面からも内方に間隔をあけて、前記絶縁性基板の前記他方表面に設けられ、前記導電材を介して前記一方および他方の内部電極にそれぞれ電気的に接続された外部電極とを含むことを特徴とするチップ型発光素子である。
【０００７】
この発明によれば、チップ型発光素子の外部電極は、いずれも平坦な表面からなる一方表面および他方表面を有する絶縁性基板の他方表面（発光体チップ実装面とは反対側の表面）に形成されている。したがって、このチップ型発光素子を、配線基板上の電極パッドにはんだ付けして実装する場合、接合部の大半はこのチップ型発光素子自身の占有面積内に入る。より具体的には、外部電極は絶縁性基板の側面から距離をあけて設けられている。したがって、配線基板との接合時に、平面視において、接合部のほぼ全部がこのチップ型発光素子の占有面積内に入る。これにより、配線基板上におけるチップ型発光素子の実質的な占有面積を低減でき、電子部品等の高密度実装が可能となる。
【０００８】
また、この発明においては、絶縁性基板に設けられた貫通孔内に配置した導電材により、内部電極と外部電極との電気接続を達成するという単純な構造とすることにより、素子を安価なものとすることができる。
請求項２記載の発明は、前記貫通孔が前記導電材で満たされていることを特徴とする請求項１記載のチップ型発光素子である。貫通孔に満たされた導電材は、その表面が絶縁性基板の表面と面一になっていることが好ましい。
【０００９】
貫通孔内部を導電材で満たすことにより、貫通孔直上に内部電極を設けた場合に、この内部電極に対して、発光体チップからのボンディングワイヤーを良好に接合できる。すなわち、ワイヤー・ボンディング時に、与えた超音波が効率的に接合部に伝わるため、容易に接合を達成できる。
請求項３記載の発明は、前記発光体チップは、前記法線方向から見て、前記貫通孔を完全に被覆するように、かつ、前記発光体チップの中心が前記貫通孔の中心と重なるように配置されていることを特徴とする、請求項１または２記載のチップ型発光素子である。
【００１０】
請求項４記載の発明は、前記ボンディングワイヤーは、前記法線方向から見て、前記貫通孔と重なる領域で前記他方の内部電極に接続されていることを特徴とする、請求項１ないし３のいずれかに記載のチップ型発光素子である。
請求項５記載の発明は、前記絶縁性基板の側面には、いずれの外部電極も形成されていないことを特徴とする請求項１ないし４のいずれかに記載のチップ型発光素子である。
【００１１】
この発明によれば、配線基板上に実装された場合、はんだ接合部の大半がこのチップ型発光素子の占有面積内に入る。
請求項６記載の発明は、前記絶縁性基板の側面とほぼ面一の側面を有し、前記発光体チップの周囲を被覆する透光性部材をさらに含むことを特徴とする請求項１ないし５のいずれかに記載のチップ型発光素子である。
【００１２】
チップ型発光素子を１．０ｍｍ×０．５ｍｍサイズ等の小型サイズに構成する場合、絶縁性基板上において透光性部材による被覆部の占める面積割合が大きくなる。しかし、この発明によれば、絶縁性基板の底面に外部電極が設けられ、その底面側において配線基板への接合を行う構成である。したがって、チップ型発光素子端部付近において絶縁性基板の表面を露出させておく必要がない。そこで、絶縁性基板の側面とほぼ面一の状態で透光性部材を配置して発光体チップの周囲を被覆することにより、素子の小型化が容易になるとともに、構造が簡単になり、生産性を向上させることができる。
【００１３】
請求項７記載の発明は、前記絶縁性基板は、その側面が全周にわたってはんだぬれ性のない表面を呈することを特徴とする請求項１ないし６のいずれかに記載のチップ型発光素子である。
請求項８記載の発明は、前記絶縁性基板は、セラミックからなることを特徴とする請求項１ないし７のいずれかに記載のチップ型発光素子である。
【００１４】
請求項９記載の発明は、前記一対の内部電極は、複数の導電材が積層された積層構造を有していることを特徴とする請求項１ないし８のいずれかに記載のチップ型発光素子である。
請求項１０記載の発明は、前記一対の内部電極の前記導電材が、前記絶縁性基板側より、Ｃｕ、Ｎｉ、およびＡｕの３層構造により構成されていることを特徴とする請求項９に記載のチップ型発光素子である。
【００１５】
この発明によれば、導電性の高いＣｕを基材とすることにより低抵抗が得られる。これを適度な硬度を持つＮｉで被覆することによりワイヤー・ボンディング時の作業性が向上する。さらにこれを耐候性の高いＡｕで被覆することにより電極部材の特性を経時的に一定に保っている。
請求項１１記載の発明は、前記外部電極は、複数の導電材が積層された積層構造を有していることを特徴とする請求項１ないし１０のいずれかに記載のチップ型発光素子である。
【００１６】
請求項１２記載の発明は、前記外部電極の前記導電材が、前記絶縁性基板側より、Ｃｕ、Ｎｉ、およびＡｕの３層構造により構成されていることを特徴とする請求項１１に記載のチップ型発光素子である。
この発明によれば、導電性の高いＣｕを基材とすることにより低抵抗が得られる。これを適度な硬度を持つＮｉで被覆することにより配線基板へのはんだ接続時の作業性が向上する。さらにこれを耐候性の高いＡｕで被覆することにより電極部材の特性を経時的に一定に保っている。
【００１７】
請求項１３記載の発明は、前記貫通孔に配置された前記導電材が、Ｃｕからなることを特徴とする請求項１ないし１２のいずれかに記載のチップ型発光素子である。
この発明によれば、導電性が高く低抵抗な導電材を貫通孔内に配置できる。
請求項１４記載の発明は、前記絶縁性基板は、長手形状を有しており、各前記外部電極は、各前記外部電極と前記絶縁性基板の長手方向端部との間の距離（Ｂ１）が、各前記外部電極と前記絶縁性基板の短手方向端部との間の距離（Ｂ２）に比べて大きくなるように形成されていることを特徴とする請求項１ないし１３のいずれかに記載のチップ型発光素子である。
【００１８】
この発明によれば、配線基板上に、電極パッドや配線をごく近接して配置することが可能となり、はんだを用いて部品を実装する際に、隣合った電極パッドや配線間で、ブリッジと呼ばれるはんだによる短絡が生ずることがない。特に、各外部電極は、各外部電極と絶縁性基板の長手方向端部との間の距離（Ｂ１）が、各外部電極と絶縁性基板の短手方向端部との間の距離（Ｂ２）に比べて大きくなるように形成されているため、配線基板への接合の際、はんだが外部電極の面積の外に多少はみ出しても、ブリッジが生ずることはない。
【００１９】
請求項１５記載の発明は、前記外部電極を介して配線基板へ接合する際、平面視において、前記外部電極の占有面積の外に、はんだがはみ出しても、はんだが、すべて、前記絶縁性基板の占有面積内に入るように、前記絶縁性基板の側面からの前記外部電極の間隔が設定されていることを特徴とする請求項１ないし１４のいずれかに記載のチップ型発光素子である。
【００２０】
この発明によれば、はんだを用いて部品を実装する際に、隣合った電極パッドや配線間で、ブリッジと呼ばれるはんだによる短絡が生ずることがない。
請求項１６記載の発明は、一方表面および他方表面を有する長手形状の絶縁性基板と、前記絶縁性基板の前記一方表面に設けられた一対の内部電極と、各前記内部電極が配置された位置において前記一方表面と前記他方表面との間にそれぞれ形成された貫通孔と、各前記貫通孔内に配置された導電材と、前記絶縁性基板の前記一方表面の法線方向から見て一方の前記貫通孔に重なるように、かつ他方の前記貫通孔を避けるように、当該一方の貫通孔を覆う一方の前記内部電極上に設けられ、その内部電極にダイ・ボンディングされた発光体チップと、他方の前記内部電極と前記発光体チップとを接続するボンディングワイヤーと、前記絶縁性基板のいずれの側面からも内方に間隔をあけて、前記絶縁性基板の前記他方表面に設けられ、前記導電材を介して前記一方および他方の内部電極にそれぞれ電気的に接続された外部電極とを含み、各前記外部電極は、各前記外部電極と前記絶縁性基板の長手方向端部との間の距離（Ｂ１）が、各前記外部電極と前記絶縁性基板の短手方向端部との間の距離（Ｂ２）に比べて大きくなるように形成されていることを特徴とするチップ型発光素子である。
【００２１】
請求項１７記載の発明は、一方表面に一対の内部電極が設けられている絶縁性基板と、この絶縁性基板の前記一方表面上に設けられ、前記内部電極と接続された発光体チップと、前記絶縁性基板の他方表面に設けられ、前記絶縁性基板内部に形成された配線部材を介して前記内部電極に電気的に接続された外部電極とを含むチップ型発光素子であって、前記配線部材は、前記絶縁性基板に形成された貫通孔内に配置された導電材を含み、前記貫通孔は、第１および第２の貫通孔を含み、前記一対の内部電極の一方および他方が、それぞれ前記第１および第２の貫通孔の直上に設けられており、前記発光体チップは、前記一対の内部電極の一方に、前記第１の貫通孔の直上でダイ・ボンディングされており、前記一対の内部電極の他方と前記発光体チップとは、ボンディングワイヤーで電気的に接続されており、前記外部電極は、前記絶縁性基板の側面から内方に間隔をあけて、前記他方表面上に形成されており、当該チップ型発光素子を、前記外部電極を介して配線基板へ接合する際、平面視において、前記外部電極の占有面積の外に、はんだがはみ出しても、はんだが、すべて、当該チップ型発光素子の占有面積内に入るように、前記絶縁性基板の側面からの前記外部電極の間隔が設定されていることを特徴とするチップ型発光素子である。
【００２２】
請求項１８記載の発明は、前記絶縁性基板の前記一方表面および前記他方表面は、いずれも平坦な表面からなることを特徴とする請求項１６または１７記載のチップ型発光素子である。
【図面の簡単な説明】
【００２３】
【図１】本発明の一実施形態に係るチップ型発光素子の図解的な断面図である。
【図２】図１のチップ型発光素子の図解的な底面図である。
【図３】絶縁性基板の構造の変形例を示す図解的な断面図である。
【図４】本発明の他の実施形態に係るチップ型発光素子の図解的な断面図である。
【図５】従来の一般的なチップ型発光素子の図解的な断面図である。
【発明を実施するための形態】
【００２４】
以下では、この発明の実施の形態を、添付図面を参照して詳細に説明する。
図１は、本発明の一実施例に係るチップ型発光素子の構成を示す図解的な断面図である。
このチップ型発光素子は、いずれも平坦な表面からなる一方表面１ａおよび他方表面１ｃを有する絶縁性基板１の一方表面１ａ上に発光体チップ３を実装し、この発光体チップ３を透光性部材８で封止した構造を有している。すなわち、絶縁性基板１の一方表面１ａに、一対の内部電極２が形成され、その一方に発光体チップ３がダイ・ボンディングされ、これと他方の内部電極２とがボンディングワイヤー４で電気的に接続されている。絶縁性基板１は、セラミックからなる。
【００２５】
本実施形態においては、内部電極２は絶縁性基板１側よりＣｕ（２ａ）、Ｎｉ（２ｂ）、Ａｕ（２ｃ）の３層により構成される。導電性の高いＣｕを基材とすることにより低抵抗が得られる。これを適度な硬度を持つＮｉで被覆することによりワイヤー・ボンディング時の作業性が向上する。さらにこれを耐候性の高いＡｕで被覆することにより電極部材の特性を経時的に一定に保っている。
【００２６】
内部電極２ａは、絶縁性基板１にあけられた貫通孔６に満たされた導電材７によって、絶縁性基板１の他方表面１ｃに形成された外部電極５と電気的に接続されている。外部電極５は内部電極２と同様、絶縁性基板１側よりＣｕ（５ａ）、Ｎｉ（５ｂ）、Ａｕ（５ｃ）の３層により構成される。導電材７の材質としてはＣｕなど低抵抗のものを用いることが好ましい。
【００２７】
絶縁性基板１の表面１ａ上において、発光体チップ３、ボンディングワイヤー４、およびそれらと内部電極２ｃとの接合部を含む領域は、透光性部材８によって保護されている。
図２は、図１に示すチップ型発光素子を矢印Ａの方向から見た図解的な底面図である。外部電極５は、絶縁性基板１の側面１ｂから一定の距離Ｂ１、Ｂ２をあけて配されている。より具体的には、図２に示すように、絶縁性基板１は、長手形状（たとえば、１．０ｍｍ×０．５ｍｍの長手形状）に形成されている。各外部電極５は、各外部電極５と絶縁性基板１の長手方向端部との間の距離Ｂ１が、各外部電極５と絶縁性基板１の短手方向端部との間の距離Ｂ２に比べて大きくなるように形成されている。絶縁性基板１の側面１ｂには、いずれの電極も形成されておらず、この側面１ｂは全周にわたってはんだぬれ性のない表面を呈している。
【００２８】
このような構造を採ることにより、このチップ型発光素子を外部電極５を介して配線基板１４上の電極パッド１３に、はんだ１２により接続する際、接合部、すなわちはんだ１２が存在する部分は、平面視において、すべてチップ型発光素子自身の占有面積内に入る。換言すれば、はんだ１２が存在する部分は、平面視において、すべて絶縁性基板１の占有面積内に入る。したがって、はんだ接合のためだけに要する領域を配線基板１４上に確保する必要がない。
【００２９】
したがって図１に示すように、配線基板１４上に、電極パッド１３や配線１５をごく近接して配置することが可能となり、はんだ１２を用いて部品を実装する際に、隣合った電極パッドや配線間で、ブリッジと呼ばれるはんだによる短絡が生ずることがない。
とくに、この実施形態の構成では、図２に示すように、外部電極５は、絶縁性基板１の側面１ｂから一定の距離Ｂ１やＢ２をもって配されている。そのため、配線基板１４への接合の際、はんだが外部電極５の面積の外に多少はみ出しても、ブリッジが生ずることはない。
【００３０】
ワイヤー・ボンディングの作業性の面では、貫通孔６は、図１に示すように導電材７によって完全に満たされていることが望ましいが、図３に示すごとく貫通孔６の一部のみを導電材７Ａで満たすことも可能である。すなわち、ワイヤー・ボンディングの際、ボンディングワイヤー４を接続すべき内部電極２の下部は、図１のように中実であった方が、図３のように中空であった場合に比して、与えた超音波が効率的に接合部に伝わるため、接合が容易なものとなる。
【００３１】
ただし、ワイヤー・ボンディングの作業性が問題にならない場合、たとえば、内部電極２の領域内で貫通孔６の直上でない部分でボンディングする場合など、図３のような構造を採ることができる。
図３の構造は、絶縁性基板１の一方表面１ａに内部電極２を形成後、他方表面１ｃより、レーザなどにより貫通孔６をあけ、貫通孔６内面を含む所定部分にメッキをすることなどにより得られる。この構造では、絶縁性基板１の底面１ｃより外部電極９と内部電極２とを電気的に接続する導電材７Ａは、外部電極９と一体化された導電膜からなっている。
【００３２】
図４は、本発明の他の実施形態に係るチップ型発光素子の図解的な断面図である。この実施形態では、透光性部材８の端面８ｂが、絶縁性基板１の側面１ｂと、全周にわたって面一に形成されて、発光体チップ３の周囲を被覆している。外部電極５は部品底部にあるので、透光性部材８は従来の構成の場合（図５）のように、絶縁性基板１の表面１ａ側に露出部を確保した状態で設ける必要がなく、絶縁性基板１の側面１ｂとほぼ面一に形成して差し支えない。
【００３３】
上述のような構成を採れば、複数個の素子分の導電材６、内部電極２、および外部電極５を形成した大きな絶縁性基板１上に、素子数分の発光体チップ３およびボンディングワイヤー４を設けた後、この大きな絶縁性基板１のほぼ全面を覆う透光性部材８を形成し、その後に個々の素子に切出すという製造方法を採ることが可能である。この方法によれば、複数個の素子の透光性部材８を一括で形成できるので生産性が向上する。
【００３４】
これに対して、図５のような従来構造のチップ型発光素子においては、外部電極５５は絶縁性基板５１を所定の大きさに切り出した後に形成、その後に透光性部材５６を形成しなければならない。
チップ型発光素子と配線基板との接合は、はんだ以外に導電性接着剤を用いて作ることもできる。
【００３５】
この明細書および図面の記載から、抽出される特徴を以下に示す。
項１．一方表面に内部電極が設けられており、セラミックからなる絶縁性基板と、この絶縁性基板の前記一方表面上に設けられ、前記内部電極と接続された発光体チップと、前記絶縁性基板の他方表面に設けられ、前記絶縁性基板内部に形成された配線部材を介して前記内部電極に電気的に接続された外部電極とを含むことを特徴とするチップ型発光素子。
【００３６】
項１によれば、チップ型発光素子の外部電極は、絶縁性基板の底面（発光体チップ実装面とは反対側の表面）に形成されている。したがって、このチップ型発光素子を、配線基板上の電極パッドにはんだ付けして実装する場合、接合部の大半はこのチップ型発光素子自身の占有面積内に入る。これにより、配線基板上におけるチップ型発光素子の実質的な占有面積を低減でき、電子部品等の高密度実装が可能となる。
【００３７】
項２．前記配線部材は、前記絶縁性基板に形成された貫通孔内に配置された導電材を含むことを特徴とする項１記載のチップ型発光素子。
項２によれば、絶縁性基板に設けられた貫通孔内に配置した導電材により内部電極と外部電極との電気接続を達成するという単純な構造とすることにより、素子を安価なものとすることができる。
【００３８】
項３．前記貫通孔が前記導電材で満たされていることを特徴とする項２記載のチップ型発光素子。
項３によれば、貫通孔内部を導電材で満たすことにより、貫通孔直上に内部電極を設けた場合に、この内部電極に対して、発光体チップからのボンディングワイヤーを良好に接合できる。すなわち、ワイヤー・ボンディング時に、与えた超音波が効率的に接合部に伝わるため、容易に接合を達成できる。
【００３９】
項４．前記絶縁性基板の側面には、いずれの外部電極も形成されていないことを特徴とする項１ないし３のいずれかに記載のチップ型発光素子。
項４によれば、配線基板上に実装された場合、はんだ接合部の大半がこのチップ型発光素子の占有面積内に入る。
項５．前記外部電極は、前記絶縁性基板の側面から内方に間隔をあけて、前記他方表面上に形成されていることを特徴とする項１ないし４のいずれかに記載のチップ型発光素子。
【００４０】
項５によれば、外部電極は絶縁性基板の側面から距離をあけて設けられている。したがって、配線基板との接合時に、平面視において、接合部のほぼ全部がこのチップ型発
光素子の占有面積内に入る。
項６．前記絶縁性基板の側面とほぼ面一の側面を有し、前記発光体チップの周囲を被覆する透光性部材をさらに含むことを特徴とする項１ないし５のいずれかに記載のチップ型発光素子。
【００４１】
チップ型発光素子を１．０ｍｍ×０．５ｍｍサイズ等の小型サイズに構成する場合、絶縁性基板上において透光性部材による被覆部の占める面積割合が大きくなる。しかし、項６によれば、絶縁性基板の底面に外部電極が設けられ、その底面側において配線基板への接合を行う構成である。したがって、チップ型発光素子端部付近において絶縁性基板の表面を露出させておく必要がない。そこで、絶縁性基板の側面とほぼ面一の状態で透光性部材を配置して発光体チップの周囲を被覆することにより、素子の小型化が容易になるとともに、構造が簡単になり、生産性を向上させることができる。
【符号の説明】
【００４２】
１    絶縁性基板
１ａ    絶縁性基板表面
１ｂ    絶縁性基板側面
１ｃ    絶縁性基板底面
２    内部電極
３    発光体チップ
４    ボンディングワイヤー
５    外部電極
６    貫通孔
７    導電材
８    透光性部材
９    外部電極
１２    はんだ
１４    配線基板
【図１】
2014146846.tif 000003
【図２】
2014146846.tif 000004
【図３】
2014146846.tif 000005
【図４】
2014146846.tif 000006
【図５】
2014146846.tif 000007